(57)【要約】【課題】被探知部材による位置探知の正確性を維持しつつ被探知部材の除去作業を不要とすることができる配線用ボックスを提供する。【解決手段】配線用ボックス１１は、底壁１２の周縁に周壁１３が立設されたボックス本体２０を備え、該ボックス本体２０は、建物の壁Ｗ裏側での設置位置を壁Ｗ表側から探知可能とする被探知部材４０を備えている。被探知部材４０は、下側壁１３ｂのボス部１８からボックス本体２０内へ延設された保持片２１の先端にて被探知部材４０の端面４０ａがボックス本体２０の開口面と同一平面上に位置する状態で保持されている。保持片２１は、該保持片２１が延設された下側壁１３ｂに被探知部材４０が近づくまで保持片２１の基端部から折り曲げ可能に形成されている。【選択図】      図４
2006149123.tif 000002
【特許請求の範囲】
【請求項１】
底壁の周縁に周壁が立設されたボックス本体を備え、該ボックス本体に、建物の壁裏側での設置位置を壁表側から探知可能とする被探知部材を備えた配線用ボックスにおいて、
前記被探知部材は、前記周壁又は底壁からボックス本体内へ延設された保持片の先端にて、該被探知部材の端面がボックス本体の開口面と同一平面上に位置する状態で保持され、
前記保持片は、該保持片が延設された周壁又は底壁に被探知部材が近づくまで基端部から折り曲げ可能に形成されていることを特徴とする配線用ボックス。
【請求項２】
前記保持片は、前記周壁におけるボックス本体開口側から延設され、ボックス本体の深さ方向へ折り曲げ可能に形成されている請求項１に記載の配線用ボックス。
【請求項３】
前記保持片は、前記周壁から延設され、ボックス本体の深さ方向に対して直交する直交方向へ折り曲げ可能に形成されている請求項１に記載の配線用ボックス。
【請求項４】
前記保持片は、前記周壁に突設された配線器具取付用のボス部から延設され、前記ボス部の裏側に収容されるまで折り曲げ可能に形成されている請求項２に記載の配線用ボックス。
【請求項５】
前記壁には、壁裏側に設置されたボックス本体の開口を壁表側に臨ませるための円孔状の透孔が穿設され、前記被探知部材は、前記透孔の中心位置に配設されている請求項１〜請求項４のうちいずれか一項に記載の配線用ボックス。
【請求項６】
前記保持片と、底壁又は周壁との間には互いの係止関係により保持片の折り曲げ状態を維持する維持手段が設けられている請求項１〜請求項５のうちいずれか一項に記載の配線用ボックス。
【発明の詳細な説明】
【技術分野】
【０００１】
本発明は、建物の壁裏側での設置位置を壁表側から探知可能とする被探知部材を備えた配線用ボックスに関する。
【背景技術】
【０００２】
従来より、建物の壁裏側に設置された配線用ボックスに配線器具を取り付けるには、まず、配線用ボックスを壁表側に臨ませるために、該配線用ボックスの前面に立設された壁材に透孔が穿設される。この透孔を穿設する際、壁表側から壁裏側の配線用ボックスの設置位置を探知可能とするために、配線用ボックスには被探知部材が備えられている（例えば、特許文献１参照）。この配線用ボックスは有底四角箱状をなすボックス本体を備え、該ボックス本体の底面には、円筒状をなす被探知部が突設されている。この被探知部の端面には、金属探知器によって探知可能な金属箔が装着されている。そして、金属探知器を用いて前記被探知部を壁表側から探知することにより、壁裏における配線用ボックスの位置を正確に探知することができ、透孔を壁材の正確な位置に穿設することが可能となっている。
【特許文献１】特許第３０５４７３０号公報（［００２０］、図１）
【発明の開示】
【発明が解決しようとする課題】
【０００３】
ところで、前記金属探知器による被探知部の探知を正確に行うには、被探知部は壁材に近い方が好ましい。このため、被探知部は、その端面の金属箔がボックス本体の開口面と同一平面上に位置するように設けられている。ところが、このような配線用ボックスを用いて壁材に透孔を穿設すると、該透孔には被探知部の端面（金属箔）が臨む状態となり、該被探知部は、その後の配線用ボックス内への配線器具の収容、取付の作業の妨げとなる。したがって、被探知部を配線用ボックスから折り取ったり、取り外したりして除去する必要があり、この除去作業が非常に面倒であるという問題があった。
【０００４】
本発明は、このような従来の技術に存在する問題点に着目してなされたものであり、その目的は、被探知部材による位置探知の正確性を維持しつつ被探知部材の除去作業を不要とすることができる配線用ボックスを提供することにある。
【課題を解決するための手段】
【０００５】
上記問題点を解決するために、請求項１に記載の発明は、底壁の周縁に周壁が立設されたボックス本体を備え、該ボックス本体に、建物の壁裏側での設置位置を壁表側から探知可能とする被探知部材を備えた配線用ボックスにおいて、前記被探知部材は、前記周壁又は底壁からボックス本体内へ延設された保持片の先端にて、該被探知部材の端面がボックス本体の開口面と同一平面上に位置する状態で保持され、前記保持片は、該保持片が延設された周壁又は底壁に被探知部材が近づくまで基端部から折り曲げ可能に形成されていることを要旨とする。
【０００６】
請求項２に記載の発明は、請求項１に記載の配線用ボックスにおいて、前記保持片は、前記周壁におけるボックス本体開口側から延設され、ボックス本体の深さ方向へ折り曲げ可能に形成されていることを要旨とする。
【０００７】
請求項３に記載の発明は、請求項１に記載の配線用ボックスにおいて、前記保持片は、前記周壁から延設され、ボックス本体の深さ方向に対して直交する直交方向へ折り曲げ可能に形成されていることを要旨とする。
【０００８】
請求項４に記載の発明は、請求項２に記載の配線用ボックスにおいて、前記保持片は、前記周壁に突設された配線器具取付用のボス部から延設され、前記ボス部の裏側に収容されるまで折り曲げ可能に形成されていることを要旨とする。
【０００９】
請求項５に記載の発明は、請求項１〜請求項４のうちいずれか一項に記載の配線用ボックスにおいて、前記壁には、壁裏側に設置されたボックス本体の開口を壁表側に臨ませるための円孔状の透孔が穿設され、前記被探知部材は、前記透孔の中心位置に配設されていることを要旨とする。
【００１０】
請求項６に記載の発明は、請求項１〜請求項５のうちいずれか一項に記載の配線用ボックスにおいて、前記保持片と、底壁又は周壁との間には互いの係止関係により保持片の折り曲げ状態を維持する維持手段が設けられていることを要旨とする。
【発明の効果】
【００１１】
本発明によれば、被探知部材による位置探知の正確性を維持しつつ被探知部材の除去作業を不要とすることができる。
【発明を実施するための最良の形態】
【００１２】
（第１の実施形態）
以下、本発明を具体化した配線用ボックスの一実施形態を図１〜図７にしたがって説明する。なお、以下の説明において配線用ボックス１１の「左」「右」「上」「下」「表（前）」「裏（後）」は、図１に示す矢印Ｙ１の方向を左右方向とし、矢印Ｙ２の方向を上下方向とし、矢印Ｙ３の方向を表裏（前後）方向とする。また、矢印Ｙ１に示す左右方向を配線用ボックス１１の幅方向とし、矢印Ｙ２に示す上下方向を配線用ボックス１１の長さ方向とする。さらに、矢印Ｙ３に示す表裏方向を配線用ボックス１１の深さ方向とする。
【００１３】
図１に示すように、配線用ボックス１１は、底壁１２の周縁に周壁１３が立設されたボックス本体２０を備え、さらに、該ボックス本体２０に被探知部材４０を備えたものである。まず、前記ボックス本体２０について詳細に説明する。ボックス本体２０は、略長方形状をなす底壁１２と、該底壁１２の四側周縁に立設された周壁１３とから、一面に開口を有する有底四角箱状に形成されている。そして、底壁１２と周壁１３に囲まれた空間に、ボックス本体２０の内部空間Ｓが形成されている。なお、前記周壁１３は、底壁１２の上下に相対向する短辺の側縁に立設された上側壁１３ａ及び下側壁１３ｂと、底壁１２の左右に相対向する長辺の側縁に立設された左側壁１３ｃ及び右側壁１３ｄとから構成されている。また、底壁１２の下側壁１３ｂ側であって、該底壁１２の左右方向（幅方向）中央には、底壁１２を貫通して底壁１２の上下方向（長さ方向）へ延びる貫通孔１２ａが穿設されている。
【００１４】
前記左側壁１３ｃの外面には、配線用ボックス１１を、建物内に立設された柱（図４参照）Ｈに当接固定するための当接部１４が一定の厚みを有して形成されている。また、左側壁１３ｃには、前記当接部１４を柱Ｈに当接させた状態で配線用ボックス１１を、柱Ｈにビス固定するための固定孔１５が三箇所に穿設されている。さらに、上側壁１３ａ及び下側壁１３ｂの左右両側には、ケーブル（図４参照）を配線用ボックス１１内に引き込むための引込孔１６が穿設されている。なお、各引込孔１６はノックアウト部１７によって閉塞され、引込孔１６の使用時に前記ノックアウト部１７が除去されて開放される。
【００１５】
図２に示すように、上側壁１３ａ及び下側壁１３ｂにおけるボックス本体２０の開口側であって、上側壁１３ａ及び下側壁１３ｂの左右方向（幅方向）中央には、配線器具（図７参照）３０を配線用ボックス１１に取り付けるためのボス部１８が、内部空間Ｓ内に向かって突設されている。各ボス部１８は筒状に形成され、各ボス部１８内にはナットＮが埋設されている。さらに、各ボス部１８には前記ナットＮに固定ビス（図示せず）を螺合可能とするボス孔１８ａが穿設されている。底壁１２において、下側壁１３ｂに突設されたボス部１８の裏側と対応する位置には前記貫通孔１２ａが穿設されている。そして、下側壁１３ｂに突設されたボス部１８の裏側には、前記底壁１２の貫通孔１２ａを含む収容空間Ｒが形成されている。
【００１６】
また、下側壁１３ｂに突設されたボス部１８には、前記被探知部材４０を保持する保持片２１が内部空間Ｓ内へ延設されている。図３に示すように、前記保持片２１は、ボス部１８から内部空間Ｓ内へ延びる細長板状の延設部２２と、該延設部２２の先端に形成された円環状をなす保持部２３とから構成されている。前記延設部２２は、ボス部１８の底壁１２側（裏側）端縁からボックス本体２０の開口に向かって上り傾斜するよう延設されている。また、ボス部１８と延設部２２の境となる延設部２２の基端部には、該延設部２２におけるその他の部位より肉薄となる肉薄部２２ａが形成されている。この肉薄部２２ａは、延設部２２の幅方向に沿って形成されている。そして、保持片２１は、肉薄部２２ａを折り曲げ中心として底壁１２に向かって折り曲げ可能に形成されている。すなわち、保持片２１は、ボックス本体２０の深さ方向に沿って折り曲げ可能に形成されている。また、延設部２２の幅方向への長さは、上側壁１３ａ及び下側壁１３ｂにおける隣り合う引込孔１６間の幅より短くなっている（図６参照）。
【００１７】
前記保持部２３の内周面には、保持突起２３ｂが保持部２３の周方向に等間隔をおいて四箇所に形成されている。そして、図１及び図２に示すように、保持部２３の内側には、円盤状をなす磁石製の被探知部材４０が嵌め込まれ、該被探知部材４０は前記保持突起２３ｂによって保持部２３内に保持されている。被探知部材４０が保持部２３に保持された状態では、保持部２３及び被探知部材４０におけるボックス本体２０の開口側端面、すなわち、保持部２３及び被探知部材４０の表側の端面２３ａ，４０ａは同一平面上に位置している。また、保持部２３は、保持片２１を折り曲げたとき、前記貫通孔１２ａの周縁に係止可能に形成されている。そして、保持部２３と、貫通孔１２ａとは互いに係止して、保持片２１の折り曲げ状態を維持する維持手段を構成している。
【００１８】
さらに、図２に示すように、周壁１３の端面上に位置する仮想平面をボックス本体２０の開口面Ａとしたとき、保持部２３及び被探知部材４０の端面２３ａ，４０ａは、ボックス本体２０の開口面Ａと同一平面上に位置している。なお、保持部２３及び被探知部材４０の端面２３ａ，４０ａが、ボックス本体２０の開口面Ａと同一平面上に位置するとは、端面２３ａ，４０ａと開口面Ａが同一平面上に位置することは当然である。また、前記同一平面上に位置するとは、端面２３ａ，４０ａが開口面Ａよりボックス本体２０内へ若干後退した位置、及びボックス本体２０外へ若干突出した位置であり開口面Ａと略同一平面上に位置することもいう。すなわち、端面２３ａ，４０ａが開口面Ａと同一平面又は略同一平面上に位置していると、被探知部材４０を壁Ｗ表側から磁石探知機によって探知可能となる。
【００１９】
また、ボス部１８の裏面から底壁１２外面までの垂直長さを長さＬ１とし、延設部２２の基端から保持部２３の先端までの水平長さを長さＬ２とする。このとき、前記長さＬ１は、前記長さＬ２より長くなっている。そして、保持片２１の基端から先端までの長さＬ２は、ボックス本体２０の深さ方向に沿った長さ、すなわち、前記収容空間Ｒの深さより短くなっており、折り曲げた保持片２１を収容空間Ｒへ収容可能になっている。さらに、被探知部材４０の中心点から、ボス孔１８ａを下側壁１３ｂ側へ超えた位置までの直線を仮想直線ｒ（図４参照）としたとき、被探知部材４０の中心点から左側壁１３ｃ及び右側壁１３ｄの内面に直交する直線の長さは、前記仮想直線ｒの長さと等しくなっている。
【００２０】
そして、下側壁１３ｂ（周壁１３）から立設されたボス部１８に保持片２１が延設され、該保持片２１の保持部２３に被探知部材４０が保持されることにより、ボックス本体２０に被探知部材４０を備えた配線用ボックス１１が構成されている。
【００２１】
次に、上記配線用ボックス１１に配線器具３０を取り付ける方法について図４〜図７に従い説明する。なお、配線用ボックス１１は、建物内に立設された柱Ｈに固定され、さらに、対向する一対の壁材３２よりなる壁Ｗ裏に設置されているものとする。この配線用ボックス１１の設置状態では、ボックス本体２０の開口端が壁材３２の裏面に当接している。また、配線用ボックス１１内には、上側壁１３ａの引込孔１６からケーブルＫが引き込まれているものとする。そして、図４及び図７においては、一対の壁材３２のうち配線用ボックス１１におけるボックス本体２０の開口側、すなわち、配線用ボックス１１の表側に立設された壁材３２のみを図示する。
【００２２】
まず、壁Ｗ表側から磁石探知機（図示せず）を用いて被探知部材４０の位置を探知する。このとき、被探知部材４０の端面４０ａは、ボックス本体２０の開口面Ａと同一平面上に位置し（図２参照）、壁材３２の裏面に当接している。このため、被探知部材４０の磁力は、壁材３２を介して壁Ｗ表側にまで確実に及ぶこととなり、磁石探知機によって被探知部材４０の位置を正確に探知することができる。すなわち、壁Ｗ裏側における配線用ボックス１１の設置位置を正確に把握することができる。
【００２３】
次に、円孔を壁材３２に穿設可能とする器具を用い、図４に示すように、被探知部材４０の中心点を中心点とする円孔状の透孔３３を壁材３２に穿設する。このとき、被探知部材４０の中心点からボス孔１８ａを下側壁１３ｂ側へ超えた位置までの長さ（仮想直線ｒの長さ）は、被探知部材４０の中心点から左側壁１３ｃ、及び右側壁１３ｄ内面までの長さと等しくなっている。このため、被探知部材４０の中心点を回転中心とし、前記仮想直線ｒよりもわずかに長い直線を半径とした円孔を前記器具を用いて壁材３２に穿設することにより、下側のボス孔１８ａをはじめ左側壁１３ｃ及び右側壁１３ｄを壁Ｗ表側に露出させることが可能となる。その結果、透孔３３から、配線用ボックス１１の下側壁１３ｂに突設されたボス部１８（ボス孔１８ａ）及び保持片２１も壁Ｗ表側に臨む状態となる。
【００２４】
続いて、前記透孔３３を基準として、又は目視によって円孔の中心点を設定し、配線用ボックス１１の上側半分が壁Ｗ表側に臨むように前記器具を用いて円孔状をなす透孔３４を壁材３２に穿設する。その結果、透孔３３，３４により、壁材３２には、ボックス本体２０の内部空間Ｓが壁Ｗ表側に臨む状態となる。
【００２５】
次に、配線器具３０を配線用ボックス１１に取り付ける前に、図５に示すように、保持片２１を底壁１２側へ押圧する。すると、延設部２２の基端部たる肉薄部２２ａを折り曲げ中心として保持片２１が底壁１２に向かって折り曲げられる。すなわち、保持片２１はボックス本体２０の深さ方向に沿って折り曲げられる。このとき、延設部２２の基端部に肉薄部２２ａが形成されているため、保持片２１は延設部２２の中間位置や先端側から折り曲げられることが抑制される。また、延設部２２における肉薄部２２ａは、その他の部位と比して肉薄であるが、延設部２２を肉薄部２２ａから折り曲げても容易に切断されることはない。また、延設部２２の弾性力によって、保持片２１が折り曲げ前の状態に復帰しにくくなっている。
【００２６】
ここで、ボス部１８の裏側には収容空間Ｒが形成されている。さらに、延設部２２の基端から保持部２３の先端までの長さＬ２は、ボス部１８の裏面から底壁１２外面までの長さＬ１より短くなっている。加えて、底壁１２の下側壁１３ｂ側には貫通孔１２ａが穿設されている。このため、折り曲げられた保持片２１は、保持部２３の先端が貫通孔１２ａに入り込み、保持片２１そのものが収容空間Ｒ内に収容される。そして、保持片２１は、該保持片２１が延設された下側壁１３ｂに近づくまで折り曲げられる。なお、保持片２１が下側壁１３ｂに近づくまで折り曲げられるとは、保持部２３がボス部１８の裏側に入り込むまで折り曲げられることをいう。すなわち、保持片２１が下側壁１３ｂに近づくまで折り曲げられるとは、配線用ボックス１１の正面視において、ボス部１８の裏側に保持部２３が位置する状態となるまで折り曲げられることをいい、保持部２３が下側壁１３ｂに当接するまで折り曲げられた状態も含む。そして、保持片２１が下側壁１３ｂに近づくまで折り曲げられたとき、後に行われる配線器具３０の収容時に保持片２１が邪魔にならないようになっている。
【００２７】
この結果、保持片２１は、保持部２３をはじめ延設部２２もボックス本体２０の開口面Ａ上に存在しなくなり、ボックス本体２０の内部空間Ｓ内における下側壁１３ｂ側の縁に配設される。そして、保持片２１が内部空間Ｓの縁へと遠ざけられることにより、ボックス本体２０の開口は、保持片２１が折り曲げられる前より広く開放される。
【００２８】
また、図６に示すように、保持片２１が折り曲げられた状態において、保持部２３は、下側壁１３ｂにおける両引込孔１６の内側にまで達しておらず、保持片２１が引込孔１６を塞ぐことはない。さらに、延設部２２は、前記両引込孔１６間に位置して引込孔１６にまで達しておらず、引込孔１６を塞ぐことはない。また、保持部２３の先端が貫通孔１２ａの周縁に係止するため、保持部２３と貫通孔１２ａとの互いの係止関係によって、保持片２１の折り曲げ状態を維持する維持手段が形成される。この維持手段によって、折り曲げられた保持片２１が、その折り曲げ前の状態に復帰することが阻止される。
【００２９】
そして、保持片２１が折り曲げられた配線用ボックス１１に配線器具３０を取り付けるには、まず、図７に示すように、四角枠状をなす配線器具取付枠３５の上下２箇所に配線器具３０を保持させる。次いで、配線器具取付枠３５の上下二箇所に形成された取付孔３５ａから上下両ボス部１８に固定ビス（図示せず）を挿通し、該固定ビスをナットＮに螺合する。すると、配線器具取付枠３５が配線用ボックス１１に取り付けられ、上下両配線器具３０がボックス本体２０の内部空間Ｓ内に収容された状態で配線用ボックス１１に取り付けられる。固定ビスをボス部１８のナットＮに螺合するとき、折り曲げられた保持片２１がボス部１８の裏側（収容空間Ｒ）に収容されている。このため、例えば、ケーブルＫが、その先端が下側壁１３ｂに達するまで配線用ボックス１１内へ引き込まれていた場合には、保持片２１によってケーブルＫがボス部１８の裏側（収容空間Ｒ）に入り込むことが抑制される。したがって、固定ビスがボス部１８を貫通し、収容空間Ｒへ達しても固定ビスによってケーブルＫが損傷を受けることが防止される。
【００３０】
この配線器具３０の取付時において、ボックス本体２０内では保持片２１が折り曲げられ、維持手段によって保持片２１の折り曲げ状態が維持されている。すなわち、保持片２１がボックス本体２０の開口面Ａに向かって露出せずボックス本体２０の開口を狭くしていない。このため、配線器具３０を配線用ボックス１１内に収容するとき、折り曲げられた保持片２１が邪魔になることがなく、該配線器具３０の配線用ボックス１１に対する収容作業、さらには取付作業が速やかに行われる。したがって、配線用ボックス１１への配線器具３０の取付作業の際、被探知部材４０を保持した保持片２１をボックス本体２０から除去する作業を行わなくてもよく、さらには、配線器具３０の取付作業中に保持片２１が作業の妨げとなることもない。
【００３１】
上記実施形態によれば、以下のような効果を得ることができる。
（１）被探知部材４０を保持した保持片２１は、該保持片２１が延設された下側壁１３ｂに近づくように肉薄部２２ａ（基端部）から折り曲げ可能に形成されている。そして、保持片２１を折り曲げた状態では、保持片２１はボックス本体２０の内部空間Ｓにおける縁に配設され、内部空間Ｓを広く開放することができる。したがって、配線用ボックス１１に対する配線器具３０の取付作業の際、保持片２１がその取付作業の邪魔になることがない。したがって、保持片２１を何度も折り曲げたり、切断したりして配線用ボックス１１から除去する作業を行わなくても、配線用ボックス１１に対する配線器具３０の取付作業を円滑に行うことができる。また、保持片２１が折り曲げられる前には、被探知部材４０は、端面４０ａが開口面Ａと同一平面上に位置し、壁Ｗ表側へ磁力を及ばすことができる。このため、被探知部材４０を用いて壁Ｗ表側から配線用ボックス１１の位置を正確に探知することができる。この結果、ボックス本体２０に被探知部材４０を備えた配線用ボックス１１において、被探知部材４０による位置探知の正確性を維持しつつ被探知部材４０の除去作業を不要とすることができる。
【００３２】
（２）保持片２１は、ボックス本体２０の深さ方向に沿って折り曲げ可能に形成されている。このため、配線用ボックス１１の開口に位置した保持片２１をボックス本体２０の開口面Ａから遠ざけることができる。したがって、被探知部材４０を用いて配線用ボックス１１の位置を探知した後は、保持片２１を折り曲げてボックス本体２０の開口を広く開放することができ、配線用ボックス１１に対する配線器具３０の取付作業を容易に行うことができる。
【００３３】
（３）保持片２１は、下側壁１３ｂに突設されたボス部１８から延設され、保持片２１を折り曲げたとき、該保持片２１をボス部１８の裏側に収容することができる。配線器具３０を内部空間Ｓ内に収容するとき、配線器具３０はボス部１８を避けて取り付けられる。そして、このボス部１８の裏側に保持片２１が収容されている。したがって、配線用ボックス１１に配線器具３０を取り付ける際に、保持片２１の位置を考慮する必要がないため、保持片２１を設けたことによる不具合を発生させることなく配線器具３０の配線用ボックス１１に対する取付作業を行うことができる。
【００３４】
（４）また、ボス部１８の裏側というデッドスペースを利用して配線用ボックス１１に対する配線器具３０の取付作業を行うことができる。すなわち、配線用ボックス１１内の限られた内部空間Ｓを有効利用して前記取付作業の簡易化を図ることができる。
【００３５】
（５）被探知部材４０は、その中心点が透孔３３の中心点に位置するように、延設部２２の長さが設定されて配設されている。このため、被探知部材４０を探知した後、被探知部材４０を中心として壁材３２に透孔３３を穿設すると配線用ボックス１１のボス孔１８ａ、左側壁１３ｃ、及び右側壁１３ｄを壁Ｗ表に臨ませることができ、透孔３３の穿設作業を容易に行うことができる。
【００３６】
（６）保持片２１が折り曲げられた状態では、保持部２３の先端が貫通孔１２ａの周縁に係止して保持片２１の折り曲げ状態を維持する維持手段が形成される。このため、折り曲げられた保持片２１が、その折り曲げ前の状態に復帰することが阻止され、復帰した保持片２１により配線器具３０の取付作業が妨げられることを阻止することができる。
【００３７】
（７）配線器具３０を配線用ボックス１１に取り付ける際には、保持片２１は配線用ボックス１１から除去されない。このため、除去された保持片２１を廃棄する必要がなく、配線器具３０の取付作業を行う作業者の負担を減らすことができる。また、保持片２１は板状をなす延設部２２と円環状をなす保持部２３から形成されている。このため、背景技術に記載したように、被探知部が円筒状に形成されている場合と比較して、配線用ボックス１１を探知するための部材（保持片２１）の材料費を抑えることができる。
【００３８】
（第２の実施形態）
次に、本発明を具体化した配線用ボックス１１の第２の実施形態を図８及び図９にしたがって説明する。なお、第２の実施形態は、第１の実施形態の保持片２１を変更したのみの構成であるため、同様の部分についてはその詳細な説明を省略する。
【００３９】
図８及び図９に示すように、保持片２１は、その基端部にボックス本体２０の深さ方向へ延びる肉薄部２２ａが形成されている。また、保持部２３は第１の実施形態より小さくすることが好ましい。そして、保持片２１は、肉薄部２２ａを折り曲げ中心としてボックス本体２０の左右方向へ折り曲げ可能になっている。すなわち、保持片２１は、ボックス本体２０の深さ方向とは直交する直交方向へ折り曲げ可能になっている。そして、保持片２１を左右方向（図９では左方向）へ折り曲げることにより、保持片２１を下側壁１３ｂに近づくまで折り曲げることができる。保持片２１が折り曲げられた状態において、保持片２１を、ボス部１８の横側というデッドスペースに収容することができる。
【００４０】
従って、第２の実施形態によれば、第１の実施形態に記載の効果に加えて以下の効果を得ることができる。
（８）保持片２１を左右方向へ折り曲げ可能とするために、延設部２２には、ボックス本体２０の深さ方向に沿って肉薄部２２ａが形成されている。このため、保持片２１に対してボックス本体２０の底壁１２側への押圧力が作用しても保持片２１が底壁１２側へ容易に折り曲がることを防止することができる。
【００４１】
なお、上記実施形態は以下のように変更してもよい。
・  各実施形態において、配線用ボックス１１を上下逆にして柱Ｈに固定してもよい。この場合、折り曲げられる前の保持片２１は、引込孔１６を塞ぐことがない。したがって、引込孔１６から配線用ボックス１１内へケーブルＫを引き込む作業を障害なく行うことができる。また、折り曲げられる前の保持片２１が、ボックス本体２０の開口面Ａ上に位置しているため、保持片２１がボックス本体２０の開口の一部を閉鎖し配線用ボックス１１内に引き込まれたケーブルＫが開口から外へ飛び出ることを抑制することができる。
【００４２】
・  各実施形態では、上側壁１３ａ及び下側壁１３ｂに一つずつボス部１８が設けられた配線用ボックス１１に具体化したが、上側壁１３ａ及び下側壁１３ｂにボス部１８が二つ以上設けられた大型の配線用ボックス１１に具体化してもよい。この場合、保持片２１は配線用ボックス１１に少なくとも一つ設けられていればよい。
【００４３】
・  被探知部材４０を、その中心点が透孔３３の中心点に位置しない位置に配設されていてもよい。
・  第１の実施形態において、保持片２１を、収容空間Ｒに収容するまで折り曲げたが、配線器具３０の取付作業の妨げにならなければ、保持片２１を収容空間Ｒに収容されるまで折り曲げなくてもよい。
【００４４】
・  各実施形態において、肉薄部２２ａを削除してもよい。
・  各実施形態において、被探知部材４０を円盤状の金属材料や金属箔に変更してもよい。
【００４５】
・  各実施形態において、保持片２１を左側壁１３ｃ又は右側壁１３ｄから延設してもよい。
・  第１の実施形態において、保持部２３の先端が貫通孔１２ａの周縁に係止しない状態で折り曲げてもよい。そして、保持片２１を、延設部２２の基端から保持部２３の先端までの長さＬ２が、ボス部１８の裏面から底壁１２外面までの長さＬ１より短くなればその長さは任意に変更してもよい。
【００４６】
・  第２の実施形態の保持片２１において、延設部２２の基端部を下側壁１３ｂの深さ方向全体に延びるように形成してもよい。
・  各実施形態において、保持片２１の保持部２３に維持手段としての係止突起を形成し、底壁１２又は下側壁１３ｂに前記係止突起が係止可能な維持手段としての係止孔を形成してもよい。そして、保持片２１を折り曲げたとき、係止突起と係止孔とを係止させて保持片２１の折り曲げ状態を維持する維持手段を構成してもよい。
【００４７】
・  図１０に示すように、保持片２１の先端部に、円盤状をなす磁石５０ａに棒材５０ｂが延設された被探知部材５０を支持させてもよい。この被探知部材５０は、保持部２３に対して移動可能に支持されている。そして、例えば、配線用ボックス１１が、ボックス本体２０の開口面Ａが壁材３２裏面から離れた位置に設置された場合、壁Ｗ表側から磁石探知機を用いて探知したとき、被探知部材５０が壁材３２側へ引き寄せられて被探知部材５０を正確に探知することが可能となる。そして、配線用ボックス１１の位置を探知し、透孔３３を穿設した後は、被探知部材５０を保持片２１から取り外し、該保持片２１を第１の実施形態と同様に折り曲げる。その結果、被探知部材５０を用いて配線用ボックス１１の設置位置を探知することができ、配線用ボックス１１の設置位置の探知後は、被探知部材５０及び保持片２１によって配線器具３０の取付作業が妨げられることがない。
【００４８】
・  図１１及び図１２に示すように、底壁１２から棒状をなす延設部２２を延設し、該延設部２２の先端に保持部２３を形成する。なお、保持部２３は、配線用ボックス１１の正面視において円形状をなすように形成する。また、延設部２２は、保持部２３の裏面端縁から延設されている。さらに、保持部２３には被探知部材４０が保持されている。そして、被探知部材４０を用いて配線用ボックス１１の位置を探知した後、延設部２２をその基端部から折り曲げ、延設部２２が底壁１２に沿うように保持片２１を底壁１２に近づける。このとき、保持部２３が貫通孔１２ａに入り込むように保持片２１の長さと、保持片２１の底壁１２における立設位置が設定されている。また、保持片２１の折り曲げ状態では、保持部２３は底壁１２の裏側へ突出するようになっており、ボックス本体２０の内部空間Ｓ内への保持部２３の突出量が少なくなっている。また、保持片２１を底壁１２に立設する場合、保持片２１を底壁１２から切り起こして形成してもよい。
【００４９】
次に、上記実施形態及び別例から把握できる技術的思想について以下に追記する。
（１）前記保持片は、周壁又は底壁から延設された延設部と、該延設部の先端に設けられ被探知部材を保持可能な保持部とから構成され、前記保持片の基端部には、その他の部位より肉薄となる肉薄部が設けられている請求項１〜請求項６のうちいずれか一項に記載の配線用ボックス。
【００５０】
（２）前記保持片は、前記ボス部の底壁側端縁からボックス本体の開口に向かって上り傾斜して延設されている請求項４に記載の配線用ボックス。
（３）前記保持片の基端から先端までの長さは、ボス部の底壁側端縁から底壁までの長さより短くなっている前記技術的思想（２）又は請求項４に記載の配線用ボックス。
【図面の簡単な説明】
【００５１】
【図１】第１の実施形態の配線用ボックスを示す斜視図。
【図２】図１の２−２線断面図。
【図３】保持片周辺を示す拡大斜視図。
【図４】透孔を穿設した壁材を示す正面図。
【図５】保持片を折り曲げた状態を示す部分切欠断面図。
【図６】保持片を折り曲げた状態を示す図７の６−６線断面図。
【図７】配線器具を取り付けた配線用ボックスを示す正面図。
【図８】第２の実施形態の配線用ボックスを示す斜視図。
【図９】第２の実施形態の保持片周辺を示す拡大斜視図。
【図１０】別例の配線用ボックスを示す断面図。
【図１１】別例の配線用ボックスを示す斜視図。
【図１２】別例の配線用ボックスを示す断面図。
【符号の説明】
【００５２】
Ａ…開口面、Ｗ…壁、１１…配線用ボックス、１２…底壁、１２ａ…維持手段としての貫通孔、１３…周壁、１８…ボス部、２０…ボックス本体、２１…保持片、２３…維持手段としての保持部、３０…配線器具、３３…透孔、４０…被探知部材、４０ａ…端面、５０…被探知部材。
【図１】
2006149123.tif 000003
【図２】
2006149123.tif 000004
【図３】
2006149123.tif 000005
【図４】
2006149123.tif 000006
【図５】
2006149123.tif 000007
【図６】
2006149123.tif 000008
【図７】
2006149123.tif 000009
【図８】
2006149123.tif 000010
【図９】
2006149123.tif 000011
【図１０】
2006149123.tif 000012
【図１１】
2006149123.tif 000013
【図１２】
2006149123.tif 000014